(57)【要約】【課題】薄型化及び狭額化した薄型表示装置であっても、無線伝送通信ユニットを適正に固定・配置できる技術を提供する。【解決手段】液晶テレビ１０は、表示パネル１２と、その前面側の外縁部分を覆うフロントキャビネット１４と、表示パネル１２の背面側を覆うバックキャビネット１６と、フロントキャビネット１４の前面下側部分に配置される樹脂製の飾りキャビネット３０とを備える。飾りキャビネット３０では、ヒレ部４０の両端近傍において、表示パネル１２の外側から内部側に向かって図示上方向に延びるユニット配置部が形成されている。ユニット配置部４６に設けられた固定部５０には無線伝送通信ユニット２０が配置される。【選択図】図２
2014095858.tif 000002
【特許請求の範囲】
【請求項１】
無線伝送通信ユニットを備える薄型表示装置であって、
表示パネルと、
樹脂成形され、前記表示パネルを覆うフロントキャビネットに取り付けられる飾りキャビネットと、
前記表示パネルの背面側を覆うバックキャビネットと、
を有し、
前記飾りキャビネットは、前記表示パネルの裏面と前記バックキャビネットに挟まれる領域に延出する内部配置部を備え、
前記内部配置部は、前記無線伝送通信ユニットを取り付ける通信ユニット固定部を有する
ことを特徴とする薄型表示装置。
【請求項２】
前記通信ユニット固定部に取り付けられた無線伝送通信ユニットは、前記表示パネルの裏面又は前記表示パネルの裏面に取り付けられた金属部材から、１２ｍｍ以上離間していることを特徴とする請求項１に記載の薄型表示装置。
【請求項３】
前記無線伝送通信ユニットは複数備わり、
前記複数の前記無線伝送通信ユニットを固定する複数の通信ユニット固定部は、表示パネルの幅方向に所定距離離間して形成されていることを特徴とする請求項１または２に記載の薄型表示装置。
【請求項４】
無線伝送通信ユニットを備える薄型表示装置であって、
表示部本体を支える支柱部を覆う樹脂製の支柱カバーと、
前記支柱カバーに一体に設けられ、前記無線伝送通信ユニットを取り付ける通信ユニット固定部と
を備えることを特徴とする薄型表示装置。
【発明の詳細な説明】
【技術分野】
【０００１】
本発明は、薄型表示装置に係り、特に、ブルートゥース（登録商標）や無線ＬＡＮ等の無線伝送通信ユニットを備える薄型表示装置に関する。
【背景技術】
【０００２】
図１に、一般的に、無線ＬＡＮ、ブルートゥース（登録商標）等の無線伝送通信ユニット５２０を備えた従来タイプの液晶テレビ５１０を示す。ここでは一部断面の斜視図を示している。
【０００３】
図示のように、液晶テレビ５１０では、表示パネル５１２がフロントキャビネット５１４とバックキャビネット５１６に挟まれるように備わる。また、フロントキャビネットの下部には、樹脂製の額縁（飾りキャビ）５３０が配置されている。そして、この飾りキャビネット５３０の内部側に、無線伝送通信ユニット５２０が配置されている。
【０００４】
一般に、液晶テレビ５１０の回路部品（基板）は、画面裏面バックライトを覆う金属のバックライトシャーシ５１８上に取り付けられている。これは、バックライトシャーシ５１８に取付面積が十分に確保できることと、金属面に接地面を構成して基板上の接地準位と容易に合わせることが出来るためである。しかしながら、液晶テレビ５１０に電波を放射する無線伝送通信ユニット５２０の場合、無線伝送通信ユニット５２０の放射する電波に対しては、接地面（バックライトシャーシ５１８の金属面）が放射する電波を反射し、干渉してしまうことが知られている。したがって、無線伝送通信ユニット５２０と接地面（バックライトシャーシ５１８）とは適正な距離で離間していることが望まれる。このため、上述のように、従来の液晶テレビ５１０では、無線伝送通信ユニット５２０を表示パネル５１２周辺の樹脂製の飾りキャビネット５３０内に収納している。
【０００５】
液晶テレビ等の薄型表示装置において、樹脂製の部材に電気基板等を取り付ける技術については各種の技術が提案されている。例えば、複数の取付孔の組を設けることで、複数の部品、複数のサイズの部品に対応することのできる樹脂シャーシベースを用いた薄型表示装置がある（例えば、特許文献１参照）。具体的には、電気基板を固定し、電気機器の内部に配備された部品に取り付けられる樹脂シャーシベースであって、複数の部品及び／又は複数のサイズの部品にネジ止めするための複数組の取付孔を開設したものである。この樹脂シャーシベースは、樹脂シャーシベースの何れかの組の取付孔を用いてネジ止めされる。
【先行技術文献】
【特許文献】
【０００６】
【特許文献１】特開２０１２−１７７８５７号公報
【発明の概要】
【発明が解決しようとする課題】
【０００７】
ところで、近年、液晶表示装置をはじめとする薄型表示装置は大型化、薄型化と共に、狭額縁化傾向にある。そのため、無線伝送通信ユニット５２０を配置するスペースの確保が問題となっていた。つまり、無線伝送通信ユニット５２０が所望の無線伝送性能を発揮可能の取り付けスペースを確保することが課題となっていた。特許文献１に開示の技術では、樹脂シャーシベースが用いられているが、大型の別体部品を用意する必要があることから薄型化の進んだ表示装置にあっては十分に対応できず別の技術が求められていた。
【０００８】
本発明は以上のような状況を鑑みなされたものであって、上記課題を解決する技術を提供することを目的とする。
【課題を解決するための手段】
【０００９】
本発明は、無線伝送通信ユニットを備える薄型表示装置であって、表示パネルと、樹脂成形され、前記表示パネルを覆うフロントキャビネットに取り付けられる飾りキャビネットと、前記表示パネルの背面側を覆うバックキャビネットと、を有し、前記飾りキャビネットは、前記表示パネルの裏面と前記バックキャビネットに挟まれる領域に延出する内部配置部を備え、前記内部配置部は、前記無線伝送通信ユニットを取り付ける通信ユニット固定部を有する。
また、前記通信ユニット固定部に取り付けられた無線伝送通信ユニットは、前記表示パネルの裏面又は前記表示パネルの裏面に取り付けられた金属部材から、１２ｍｍ以上離間してもよい。
また、前記無線伝送通信ユニットは複数備わり、前記複数の前記無線伝送通信ユニットを固定する複数の通信ユニット固定部は、表示パネルの幅方向に所定距離離間して形成されてもよい。
本発明は、無線伝送通信ユニットを備える薄型表示装置であって、表示部本体を支える支柱部を覆う樹脂製の支柱カバーと、前記支柱カバーに一体に設けられ、前記無線伝送通信ユニットを取り付ける通信ユニット固定部とを備える。
【発明の効果】
【００１０】
本発明によれば、薄型表示装置において、無線伝送性能を所望に確保した状態の無線伝送通信ユニットの取付構造技術を提供することができる。
【図面の簡単な説明】
【００１１】
【図１】従来技術に係る、液晶テレビの一部断面斜視図である。
【図２】第１の実施形態に係る、液晶テレビの背面から見た分解斜視図である。
【図３】第１の実施形態に係る、液晶テレビの配面図である。
【図４】第１の実施形態に係る、図２の左側のユニット配置部４６に着目して飾りキャビネットの一部を拡大して示した斜視図である。
【図５】第１の実施形態に係る、ユニット配置部を拡大して示した斜視図である。
【図６】第１の実施形態に係る、ユニット配置部が形成されている部分の飾りキャビネットの一部断面斜視図である。
【図７】第１の実施形態に係る、飾りキャビネットのユニット配置部を拡大して示した図である。
【図８】第１の実施形態に係る、ユニット配置部の部分の断面図である。
【図９】第１の実施形態に係る、無線伝送通信ユニットとバックライトシャーシとの距離をどのように設定すべきか検証したシミュレーション結果を示したグラフである。
【図１０】第２の実施形態に係る、液晶テレビの分解斜視図である。
【図１１】第２の実施形態に係る、支柱カバー及びバックライトシャーシを示す斜視図である。
【図１２】第２の実施形態に係る、フロントキャビネットの裏面に取り付けられた支柱カバーを示す斜視図である。
【図１３】第２の実施形態に係る、支柱カバーを示す図である。
【発明を実施するための形態】
【００１２】
次に、本発明を実施するための形態（以下、単に「実施形態」という）を、図面を参照して具体的に説明する。
【００１３】
＜第１の実施形態＞
概要は次の通りである。
（１）狭額縁化により、前面下部に配置不可となった無線伝送通信ユニットを、前面下部の飾りキャビネットのヒレ部を表示パネル裏面のシャーシ（液晶テレビではバックライトシャーシ）に沿わせて伸長展開する。
（２）無線伝送通信ユニットをヒレ先端部（後述のユニット配置部４６、４７）に配置する。
（３）無線伝送通信ユニットは電波の反射・干渉が起きないよう、金属物と所定の距離を確保する。具体的には、距離は約１２ｍｍ以上とする。
このような構造を採用することで、無線伝送通信ユニットを固定するための専用部品が不要であり、コスト削減を実現できる。また、バックライトシャーシ背面配置ではあるが、伸長した飾りキャビネットのヒレ部（樹脂性）に無線伝送通信ユニットを固定することにより、周囲の金属物から絶縁することができる。それとともに、電磁波は金属に反射するので、その影響を抑えることができる。また外観サイズに依らず無線伝送通信ユニットを取り付けることができる。
【００１４】
以下、詳細に説明する。
図２は、本実施形態に係る液晶テレビ１０の背面から見た分解斜視図である。ここでは、支柱等のスタンド部分は省いて示している。また、図３は、液晶テレビ１０の背面図であり、表示パネル１２の裏面（バックライトシャーシ１８）を露出させて示している。
【００１５】
図示のように、液晶テレビ１０は、表示パネル１２と、その前面側の外縁部分を覆うフロントキャビネット１４と、表示パネル１２の背面側を覆うバックキャビネット１６と、フロントキャビネット１４の前面下側部分に配置される飾りキャビネット３０とを備える。
【００１６】
飾りキャビネット３０は、樹脂成形された部材であって、液晶テレビ１０の幅方向全体にわたって伸長展開している。また、飾りキャビネット３０は、外側に露出する飾り部本体３２と、表示パネル１２のバックライトシャーシ１８とバックキャビネット１６の間に配置され内部に隠れるヒレ部４０とを備える。
【００１７】
詳細は後述するが、例えば図３に示すように、ヒレ部４０の両端近傍において、表示パネル１２の外側から内部側に向かって図示上方向に延びるユニット配置部４６、４７が形成されている。図示左側のユニット配置部４６に設けられた固定部５０にはブルートゥース（登録商標）の無線伝送通信ユニット２０が配置される。また、右側のユニット配置部４７に設けられた固定部４８には無線ＬＡＮの無線伝送通信ユニット２１が配置される。なお、二つの無線伝送通信ユニット２０、２１の距離、つまり、左右のユニット配置部４６、４７の距離は、干渉が生じないように十分な距離が確保されている。
【００１８】
図４は、図２の左側のユニット配置部４６に着目して飾りキャビネット３０の一部を拡大して示した斜視図である。また、図５は、ユニット配置部４６を拡大して示した斜視図である。また、図６は、ユニット配置部４６が形成されている部分の飾りキャビネット３０の一部断面斜視図である。さらに、図７は飾りキャビネット３０のユニット配置部４６を拡大して示した図であって、図７（ａ）は側面図、図７（ｂ）は斜視図、図７（ｃ）は平面図を示している。さらに、図８は、ユニット配置部４６部分の断面図である。
【００１９】
図示のように、飾りキャビネット３０は、外側に露出する飾り部本体３２と、固定等のために内部に配置されるヒレ部４０とを備えている。
【００２０】
ヒレ部４０は、ヒレ部本体４２と、屈曲部４４と、ユニット配置部４６とを一体に備えて構成されている。ヒレ部本体４２は、一般的な構成であって、所定厚さの板状形状で幅方向にわたって形成されており、飾りキャビネット３０の固定等に用いられる。
【００２１】
ヒレ部本体４２の端部近傍には、屈曲部４４を介して一段下がった状態に、つまり、バックライトシャーシ１８に近づいた状態でユニット配置部４６が形成されている。屈曲部４４の高さによって、バックライトシャーシ１８とユニット配置部４６との距離及びバックキャビネット１６との離間状態が設定される。
【００２２】
ユニット配置部４６には、バックキャビネット１６側に延びるユニット固定部５０が形成されている。このユニット固定部５０に無線伝送通信ユニット２０が取り付けられる。具体的には、ユニット固定部５０として、ユニット配置部４６の平面から垂直にバックキャビネット１６側に向かって延出する第１〜第５の固定リブ５１〜５５が形成されている。第１〜第５の固定リブ５１〜５５のうち所定のもの（例えば第４及び第５の固定リブ５４、５５）がツメ状に形成され、無線伝送通信ユニット２０を適正に固定・保持できるようになっている。
【００２３】
上述のユニット配置部４６が形成される位置（屈曲部４４の高さ）とユニット固定部５０の高さ及び無線伝送通信ユニット２０の厚さを考慮して、各種構成の寸法が設定されている。そして、最終的に、無線伝送通信ユニット２０とバックライトシャーシ１８との最短距離が１２ｍｍ以上になっている。
【００２４】
図９は、無線伝送通信ユニット２０とバックライトシャーシ１８との距離をどのように設定すべきか検証したシミュレーション結果を示したグラフである。ここでは、無線ＬＡＮユニットとバックライトシャーシの距離と、伝送速度の関係を示している。ブルートゥースに関しても同様の結果が得られている。図示のように、要求値を５０Ｍｂｐｓとした場合、１２ｍｍ以上の距離が必要とされる。
【００２５】
以上、本実施形態によると、無線伝送通信ユニット２０を固定するための専用部品が不要であり、コスト削減を実現できる。また、伸長した樹脂製の飾りキャビネット３０のヒレ部４０に無線伝送通信ユニット２０を固定することにより、周囲の金属物から絶縁することができる。
【００２６】
なお、ユニット固定部５０の近傍に、接地面であるバックライトシャーシ１８とは電気的に絶縁した状態の電波反射部材が配置されて、電波の伝搬方向が制御されてもよい。例えば、電波反射部材として金属板を所望の形状に形成したものでもよいし、樹脂製部材に導電性塗料等を塗布したものでもよいし、さらに、金属テープをユニット固定部５０の近傍に貼付してもよい。
【００２７】
＜第２の実施形態＞
本実施形態の概要は次の通りである。即ち、液晶テレビのスタンド支柱（金属）の樹脂製カバーの側面にユニット配置部を延出させて設け、筐体背面のＢＬシャーシに沿わせて配置する。無線伝送通信ユニット１２０が固定されるユニット固定部１５０は、ユニット配置部は電波の干渉等考慮した空間に形成される。このため、無線伝送通信ユニットを固定する部品を別途設ける必要がない。
【００２８】
図１０は、本実施形態に係る、液晶テレビ１１０の分解斜視図である。また、図１１は液晶テレビ１０の支柱カバー１４０及びバックライトシャーシ１１８を示す斜視図である。さらに、図１２はフロントキャビネット１１４の裏面に取り付けられた支柱カバー１４０を示す斜視図である。さらにまた、図１３は支柱カバーを示す図であって、図１３（ａ）は斜視図、図１３（ｂ）は平面図、図１３（ｃ）は側面図である。
【００２９】
図示のように、液晶テレビ１１０は、表示パネル１１２がフロントキャビネット１１４とバックキャビネット１１６で覆われており、表示パネル１２の下側にはスタント部１３０が備わる。
【００３０】
また、バックライトシャーシ１１８には補強アングル１１９が縦に２本所定間隔で設けられている。そして、補強アングル１１９の下側部分に金属製のスタンド支柱１３４が設けられている。さらに、その下側には、樹脂製の支柱カバー１４０が、フロントキャビネット１１４に設けられた固定用ボス１１３に固定用開口部１４８でネジ固定される。そして、スタンド支柱部１３４と支柱カバー１４０とに支柱本体部１３２が取り付けられる。このとき、支柱カバー１４０のカバー本体上面部１４１が支柱本体部１３２に覆われるが、カバー側面部１４２は露出するようになっている。
【００３１】
そして、カバー側面部１４２の底側（バックライトシャーシ１１８側）の端部から、板状のユニット配置部１５０が横方向（図示では左方向）に延出して形成されている。
【００３２】
ユニット配置部１５０には、４本の固定用リブ１５１が鉛直にバックキャビネット１１６に向けて所定高さで形成されている。この固定用リブ１５１に無線伝送通信ユニット１２０が固定されたときに、周囲の金属部材、特に、表示パネル１１２のバックライトシャーシ１１８及び支柱本体部１３２から１２ｍｍ以上離間している。
【００３３】
このような構成とすることで、第１の実施形態同様に、薄型化及び狭額化した液晶テレビ１１０であっても、無線伝送通信ユニット１２０を適正に固定・配置できる。さらに、専用の部品を別途設けていた従来タイプと比べ、コスト削減が可能となる。
【００３４】
以上、本発明を実施形態をもとに説明した。この実施形態は例示であり、それらの各構成要素の組み合わせ等にいろいろな変形例が可能なこと、またそうした変形例も本発明の範囲にあることは当業者に理解されるところである。
【符号の説明】
【００３５】
１０、１１０  液晶テレビ
１２、１１２  表示パネル
１４、１１４  フロントキャビネット
１６、１１６  バックキャビネット
１８、１１８  バックライトシャーシ
２０、１２０  無線伝送通信ユニット
２１  無線伝送通信ユニット
３０  飾りキャビネット
３２  飾り部本体
４０  ヒレ部
４２  ヒレ部本体
４４  屈曲部
４６  ユニット配置部
４７  ユニット配置部
４８  固定部
５０  ユニット固定部
５１〜５５  第１〜第５の固定リブ
１１３  固定用ボス
１１９  補強アングル
１３０  スタント部
１３２  支柱本体部
１３４  スタンド支柱部
１４０  支柱カバー
１４１  カバー本体上面部
１４２  カバー側面部
１４８  固定用開口部
１５０  ユニット配置部
１５１  固定用リブ
【図１】
2014095858.tif 000003
【図２】
2014095858.tif 000004
【図３】
2014095858.tif 000005
【図４】
2014095858.tif 000006
【図５】
2014095858.tif 000007
【図６】
2014095858.tif 000008
【図７】
2014095858.tif 000009
【図８】
2014095858.tif 000010
【図９】
2014095858.tif 000011
【図１０】
2014095858.tif 000012
【図１１】
2014095858.tif 000013
【図１２】
2014095858.tif 000014
【図１３】
2014095858.tif 000015